(57)【要約】【課題】コネクタ近傍領域における同軸線を適切に保護し、かつ省スペース化を実現する構造の高周波用のコネクタに用いられる保護具を得る。【解決手段】不織布がホットプレスされることにより得られる不織布保護具３のコネクタ保護部３ａは連結面１ａから高周波コネクタ１の大部分を含むコネクタ保護領域Ｒ１１を覆うようにして形成されている。コネクタ保護部３ａは高周波コネクタ１の形状に適切に反映した形状で形成される。不織布保護具３の同軸線保護部３ｂは、コネクタ近傍領域Ｒ１０を一部に含む同軸線保護領域Ｒ２１を覆うように形成される。同軸線保護部３ｂは連結面１ａの形成幅及び上記幹線の断面形状に適切に反映した形状で形成される。【選択図】図１
2012094421.tif 000002
【特許請求の範囲】
【請求項１】
所定の連結面から少なくとも１本の同軸線が連結される高周波用のコネクタに用いられる保護具であって、
不織布がホットプレスされることにより、前記所定の連結面を含むコネクタ保護領域を覆うようにして形成されたコネクタ保護部と、
不織布がホットプレスされることにより、前記コネクタの近傍領域における前記同軸線を含む同軸線保護領域を覆うようにして形成され、前記コネクタ保護部と一体化された同軸線保護部とを備えた、
保護具。
【請求項２】
請求項１記載の保護具であって、
前記コネクタ保護領域は前記コネクタと前記コネクタ保護部との間に接着力が働く程度の領域を含む、
保護具。
【請求項３】
請求項２記載の保護具であって、
前記コネクタ保護部は、裏面に塗布された接着材によって前記コネクタの前記コネクタ保護領域で接着される、
保護具。
【請求項４】
請求項１ないし請求項３のうち、いずれか１項に記載の保護具であって、
前記同軸線保護部は、前記同軸線保護領域において所定の曲げ半径で屈曲された形状で前記同軸線を固定する、
保護具。
【請求項５】
請求項４記載の保護具であって、
前記所定の曲げ半径は、前記同軸線の許容曲げ半径以上に設定される、
保護具。
【請求項６】
請求項１記載の保護具であって、
前記コネクタ保護領域は前記所定の連結部のみを実質的に含み、
前記同軸線保護領域は前記コネクタの近傍領域のみを含む、
保護具。
【発明の詳細な説明】
【技術分野】
【０００１】
この発明は、同軸線が連結される高周波用のコネクタに用いられる保護具に関する。
【背景技術】
【０００２】
コネクタに連結される電線を保護する保護具として特許文献１に開示されたコネクタ保護カバー等がある。
【０００３】
図５は電線として同軸線が連結された高周波用コネクタに用いられる従来の保護材（その１）を模試的に示す説明図である。同図に示すように、同軸線１２（図５で２本示している）及び電源線１８を保護すべく、２本の同軸線１２と１本の電源線１８からなる幹線が、ポリ塩化ビニル（polyvinyl chloride、PVC）製等のチューブ形状の保護材１３によって覆われている。ただし、高周波コネクタ１１の近傍領域においては高周波コネクタ１１に近づくに従い幹線の幅が大きくなるため保護材１３は設けていない。
【０００４】
図６は電線として同軸線が連結された高周波用コネクタに用いられる従来の保護材（その２）を模試的に示す説明図である。同図に示すように、同軸線１２（図６で２本示している）及び電源線１８を保護すべく、２本の同軸線１２と１本の電源線１８からなる幹線が上記幹線の大きさを反映した適切な太さの保護材１４によって覆われている。保護材１４は、高周波コネクタ１１の近傍領域においても高周波コネクタ１１の近づくに従いやや太くなる幹線の幅に合致させる形状にすることにより、高周波コネクタ１１の近傍領域においても上記幹線を覆って形成される。
【先行技術文献】
【特許文献】
【０００５】
【特許文献１】特開２００９−１９３８４０号公報
【発明の概要】
【発明が解決しようとする課題】
【０００６】
高周波コネクタ１１の端子とかしめて連結させる必要がある、同軸線の端末部分は、一般の電線に比べて断線し易い傾向がある。しかし、保護材１３（その１）は同軸線１２の端末部分（高周波コネクタ１１の近傍領域における部分）に形成されていないため、保護材１３は同軸線１２の断線を適切に保護できていないという問題点があった。
【０００７】
一方、上記問題点の解消を図るべく、保護材１４（その２）は高周波コネクタ１１の近傍領域（首下部）においても上記幹線を覆って形成されている。しかしながら、高周波コネクタ１１の近傍領域まで保護材１４を形成した場合、保護材１４の存在によって同軸線１２と高周波コネクタ１１内の端子との圧着部にストレスが加わり、このストレスにより同軸線１２が断線し易くなるため、高周波コネクタ１１に突き当てるように同軸線１２を含む上記幹線を覆って保護材１４を形成することは実用的でないという問題点があった。
【０００８】
また、保護材１３及び保護材１４のいずれの場合であっても、高周波コネクタ１１の近傍の露出領域２０が存在するため、高周波コネクタ１１の取付時に他の部品に露出領域２０が引っかかり同軸線１２が断線してしまうという問題点をも有している。
【０００９】
また、保護材１３及び保護材１４より十分太い領域で覆う拡大保護材を用いて、高周波コネクタ１１の近傍領域まで同軸線１２を覆うことも考えられるが、不要に大きい拡大保護材を用いることにより、拡大保護材の上記幹線への固定がしづらくなり、高周波コネクタ１１を車両等の取付対象物に取り付ける際、上記拡大保護材が無駄なスペースを形成してしまい使用勝手を悪くしてしまう可能性が高いという問題点があった。
【００１０】
この発明は上記問題点を解決するためになされたもので、コネクタ近傍領域における同軸線を適切に保護し、かつ省スペース化を実現する構造の高周波用のコネクタに用いられる保護具を得ることを目的とする。
【課題を解決するための手段】
【００１１】
この発明に係る請求項１記載の保護具は、所定の連結面から少なくとも１本の同軸線が連結される高周波用のコネクタに用いられる保護具であって、不織布がホットプレスされることにより、前記所定の連結面を含むコネクタ保護領域を覆うようにして形成されたコネクタ保護部と、不織布がホットプレスされることにより、前記コネクタの近傍領域における前記同軸線を含む同軸線保護領域を覆うようにして形成され、前記コネクタ保護部と一体化された同軸線保護部とを備えている。
【００１２】
請求項２の発明は、請求項１記載の保護具であって、前記コネクタ保護領域は前記コネクタと前記コネクタ保護部との間に接着力が働く程度の領域を含む。
【００１３】
請求項３の発明は、請求項２記載の保護具であって、前記コネクタ保護部は、裏面に塗布された接着材によって前記コネクタの前記コネクタ保護領域で接着される。
【００１４】
請求項４の発明は、請求項１ないし請求項３のうち、いずれか１項に記載の保護具であって、前記同軸線保護部は、前記同軸線保護領域において所定の曲げ半径で屈曲された形状で前記同軸線を固定する。
【００１５】
請求項５の発明は、請求項４記載の保護具であって、前記所定の曲げ半径は、前記同軸線の許容曲げ半径以上に設定される。
【００１６】
請求項６の発明は、請求項１記載の保護具であって、前記コネクタ保護領域は前記所定の連結部のみを実質的に含み、前記同軸線保護領域は前記コネクタの近傍領域のみを含む。
【発明の効果】
【００１７】
請求項１記載の本願発明である保護具はコネクタの近傍領域における同軸線を含む同軸線保護領域を覆うようにして形成されるため、コネクタ近傍領域における同軸線を保護することができ、コネクタ及び同軸線の取付時にコネクタの所定の連結面が意図しない障害物に引っかかる可能性を確実に回避することができる。
【００１８】
さらに、不織布のホットプレス加工時に、コネクト保護部及び同軸線保護部の形状をコネクタ及び同軸線の接続内容を反映した適切な形状に設定することにより、保護具を設けることによるスペース増加を必要最小限に抑えることができる。
【００１９】
加えて、コネクタ保護部と同軸線保護部とが一体化された単一構造の保護具のみによって同軸線を保護することができるため、保護部材の部品点数の低減化を図ることができる。
【００２０】
請求項２記載の本願発明は、コネクタ保護領域におけるコネクタと保護具のコネクタ保護部との間に生じる接着力によって、コネクタ，同軸線間の引っ張り強度の向上を図ることができる。
【００２１】
請求項３記載の本願発明において、コネクタ保護部は接着材によってコネクタのコネクタ保護領域で接着されることにより、上記引っ張り強度のさらなる向上を図ることができる。
【００２２】
請求項４記載の本願発明は、所定の曲げ半径で屈曲された形状で同軸線がコネクタに連結される構造を比較的簡単に得ることができる。
【００２３】
請求項５記載の本願発明は、所定の曲げ半径は、前記同軸線の許容曲げ半径以上に設定することにより、同軸線を曲げによる断線等の影響を確実に回避することができる。
【００２４】
請求項６記載の本願発明は、コネクタ保護領域及び同軸線保護領域を必要最小限に抑えることにより、さらなる省スペース化を図ることができる。
【図面の簡単な説明】
【００２５】
【図１】この発明に実施の形態１である高周波コネクタ用の不織布保護具を模式的に示す説明図である。
【図２】この発明に実施の形態２である高周波コネクタ用の不織布保護具を模式的に示す説明図である。
【図３】この発明に実施の形態３である高周波コネクタ用の不織布保護具を模式的に示す説明図である。
【図４】この発明に実施の形態４である高周波コネクタ用の不織布保護具を模式的に示す説明図である。
【図５】同軸線が連結された高周波用コネクタに用いられる従来の保護材（その１）を模試的に示す説明図である。
【図６】同軸線が連結された高周波用コネクタに用いられる従来の保護材（その２）を模試的に示す説明図である。
【発明を実施するための形態】
【００２６】
＜実施の形態１＞
図１はこの発明に実施の形態１である高周波コネクタ用の不織布保護具を模式的に示す説明図である。
【００２７】
同図に示すように、連結面１ａから同軸線２（図１では２本）と電源線８とが連結される高周波コネクタ１に対し、一体化したコネクタ保護部３ａ及び同軸線保護部３ｂからなる不織布保護具３が設けられる。
【００２８】
不織布保護具３のコネクタ保護部３ａは連結面１ａから高周波コネクタ１の大部分を含むコネクタ保護領域Ｒ１１を覆うようにして形成されている。但し、コネクタ保護部３ａは高周波コネクタ１の形状に適切に反映した形状で形成される。
【００２９】
不織布保護具３の同軸線保護部３ｂは、コネクタ近傍領域Ｒ１０を一部に含む同軸線保護領域Ｒ２１を覆うように形成される。コネクタ近傍領域Ｒ１０は同軸線２が高周波コネクタ１の連結面１ａかけて広がっていく結果、同軸線２と電源線８とからなる幹線の断面積が広がっていく領域である。同軸線保護領域Ｒ２１はコネクタ近傍領域Ｒ１０に加え、同軸線２及び電源線８が束ねられて上記幹線の断面積が一定の大きさで安定している領域の一部をも含んでいる。したがって、同軸線保護部３ｂは連結面１ａの形成幅及び上記幹線の断面形状を含む幹線の接続内容を適切に反映した形状で形成される。
【００３０】
コネクタ保護領域Ｒ１１が高周波コネクタ１の大部分の領域をしめているため、不織布保護具３の成型後はコネクタ保護部３ａと高周波コネクタ１との間に少なからず接着力が働く。
【００３１】
このような構成の実施の形態１の不織布保護具３は以下で示す効果を奏する。
【００３２】
不織布保護具３はコネクタ近傍領域Ｒ１０を含む同軸線保護領域Ｒ２１を覆うようにして形成されるため、コネクタ近傍領域Ｒ１０における同軸線１２を確実に保護することができる（第１の効果）。この際、不織布保護具３は高周波コネクタ１方向に幅広に形成されており、不織布は柔軟性の富むため、同軸線２と高周波コネクタ１内の端子との圧着部にストレスが加わることもない。
【００３３】
さらに、同軸線保護領域Ｒ２１には露出領域２０が含まれているため、高周波コネクタ１及び同軸線２の取付時に高周波コネクタ１の連結面１ａが意図しない障害物に引っかかる可能性を確実に回避することができる（第２の効果）。
【００３４】
また、コネクタ保護部３ａと同軸線保護部３ｂとが一体化された単一構造の不織布保護具３のみによって同軸線２を保護することができるため、保護部材の部品点数の低減化を図ることができる（第３の効果）。
【００３５】
一方、図５及び図６で示した従来の構成では、保護材１３（１４）に加え、さらにその外周を覆うＰＶＣシート（図５，図６では図示せず）等が必要となり、保護材１３以外の保護部材をさらに必要としてしまう。
【００３６】
加えて、コネクタ保護部３ａ並びに同軸線保護部３ｂは、高周波コネクタ１並びに連結面１ａの形成幅及び同軸線２を含む幹線の断面形状を適切に反映した形状で形成されることにより、不織布保護具３を設けることによるスペース増加を必要最小限に抑えることができる（第４の効果）。
【００３７】
すなわち、不織布のホットプレス加工時に、コネクタ保護部３ａ及び同軸線保護部３ｂの形状を高周波コネクタ１及び同軸線２（幹線）の接続内容を反映した適切な形状に設定することにより、不織布保護具３を設けることによるスペース増加を必要最小限に抑えることができる。
【００３８】
さらに、コネクタ保護領域Ｒ１１における高周波コネクタ１とコネクタ保護部３ａとの間に生じる接着力によって、高周波コネクタ１，同軸線２間の引っ張り強度の向上を図ることができる（第５の効果）。
【００３９】
＜実施の形態２＞
図２はこの発明に実施の形態２である高周波コネクタ用の不織布保護具を模式的に示す説明図である。
【００４０】
同図に示すように、連結面１ａから同軸線２（図２では２本）と電源線８とが連結される高周波コネクタ１に対し、コネクタ保護部４ａ及び同軸線保護部４ｂからなる不織布保護具４が設けられる。
【００４１】
不織布保護具４のコネクタ保護部４ａは連結面１ａのみを実質的に含むコネクタ保護領域Ｒ１２を覆うようにして形成されている。但し、コネクタ保護部４ａは高周波コネクタ１の形状を適切に反映した形状で形成される。
【００４２】
不織布保護具４の同軸線保護部４ｂは、コネクタ近傍領域Ｒ１０のみを含む同軸線保護領域Ｒ２２を覆うように形成される。ただし、同軸線保護部４ｂは同軸線保護部３ｂのコネクタ近傍領域Ｒ１０対応部分と同様、幹線（同軸線２＋電源線８）の接続内容を適切に反映した形状で形成される。
【００４３】
このような構成の実施の形態２の不織布保護具４は実施の形態１で述べた上記第１〜第３の効果に加え、以下の効果を奏する。
【００４４】
実施の形態２の不織布保護具４は、コネクタ保護領域Ｒ２１及び同軸線保護領域Ｒ２２を必要最小限の領域に設定することにより、実施の形態１以上に省スペース化を図ることができる（実施の形態１に優る第４の効果）。
【００４５】
＜実施の形態３＞
図３はこの発明に実施の形態３である高周波コネクタ用の不織布保護具を模式的に示す説明図である。
【００４６】
同図に示すように、連結面１ａから同軸線２（図３では２本）と電源線８とが連結される高周波コネクタ１に対し、コネクタ保護部５ａ及び同軸線保護部５ｂからなる不織布保護具５が設けられる。
【００４７】
不織布保護具５のコネクタ保護部５ａは連結面１ａから高周波コネクタ１の大部分を含むコネクタ保護領域Ｒ１３（＝Ｒ１１）を覆うようにして形成されている。但し、コネクタ保護部５ａは、実施の形態１のコネクタ保護部３ａと同様、高周波コネクタ１の形状を適切に反映した形状で形成される。
【００４８】
この際、不織布保護具５の裏側全面に成形前から接着材７を塗布することにより、接着材７によってコネクタ保護部５ａと高周波コネクタ１との間に強力な接着力が働くようにしている。
【００４９】
不織布保護具５の同軸線保護部５ｂは、コネクタ近傍領域Ｒ１０を一部に含む同軸線保護領域Ｒ２３（＝Ｒ２１）を覆うように形成される。同軸線保護領域Ｒ２３はコネクタ近傍領域Ｒ１０に加え、同軸線２及び電源線８が束ねられて上記幹線が一定の断面積で安定している領域の一部を含んでいる。但し、同軸線保護部５ｂは、実施の形態１の同軸線保護部３ｂと同様、幹線（同軸線２＋電源線８）の接続内容を適切に反映した形状で形成される。
【００５０】
このような構成の実施の形態３の不織布保護具５は実施の形態１で述べた上記第１〜第４の効果に加え、以下の効果を奏する。
【００５１】
不織布保護具５のコネクタ保護部５ａは接着材７を用いて高周波コネクタ１のコネクタ保護領域Ｒ１３において強力に接着されることにより、高周波コネクタ１，同軸線２間の引っ張り強度の飛躍的な向上を図ることができる（実施の形態１を優る第５の効果）。
【００５２】
＜実施の形態４＞
図４はこの発明に実施の形態４である高周波コネクタ用の不織布保護具を模式的に示す説明図である。
【００５３】
同図に示すように、連結面１ａから同軸線２（図４では２本）と電源線８とが連結される高周波コネクタ１に対し、コネクタ保護部６ａ及び同軸線保護部６ｂからなる不織布保護具６が設けられる。
【００５４】
不織布保護具６のコネクタ保護部６ａは連結面１ａから高周波コネクタ１の大部分を含むコネクタ保護領域Ｒ１４（＝Ｒ１１）を覆うようにして形成されている。但し、コネクタ保護部６ａは、実施の形態１のコネクタ保護部３ａと同様、高周波コネクタ１の形状を適切に反映した形状で形成される。
【００５５】
不織布保護具６の同軸線保護部６ｂは、コネクタ近傍領域Ｒ１０を一部に含む同軸線保護領域Ｒ２４を覆うように形成される。但し、同軸線保護部６ｂは、実施の形態１の同軸線保護部３ｂと同様、幹線（同軸線２＋電源線８）の接続内容を適切に反映した形状で形成される。
【００５６】
同軸線保護領域Ｒ２４はコネクタ近傍領域Ｒ１０を含むとともに、同軸線２を設定曲げＲ（半径）を屈曲させている領域を含んでいる。なお、設定曲げＲは同軸線２の許容曲げＲ（使用可能な最小曲げ半径）以上に設定されている。
【００５７】
例えば、同軸線２の許容曲げＲが自己の直径の５倍程度であり、直径（φ）が３ｍｍの同軸線２を用いている場合、許容曲げＲは１５ｍｍ程度に設定され、同軸線保護領域Ｒ２４によって同軸線２は曲げＲ１５ｍｍ以上を満足するように設定される。
【００５８】
したがって、不織布保護具６の同軸線保護部６ｂは、同軸線保護領域Ｒ２４において同軸線２が設定曲げＲで屈曲される形状で固定している。
【００５９】
コネクタ保護領域Ｒ１４が高周波コネクタ１の大部分の領域をしめているため、コネクタ保護部６ａと高周波コネクタ１との間に少なからず接着力が働く。
【００６０】
このような構成の実施の形態４の不織布保護具６は実施の形態１で述べた上記第１〜第５の効果に加え、以下の効果を奏する。
【００６１】
実施の形態４の不織布保護具６は、設定曲げＲで屈曲された形状で同軸線２が高周波コネクタ１に連結する構造を比較的簡単に得ることができる効果を奏する（第６の効果）。
【００６２】
したがって、高周波コネクタ１及び同軸線２を車両に搭載する場合、同軸線保護部６ｂ内の同軸線２を車両搭載状態に合致した曲げＲに設定することにより、使い勝手の良い高周波コネクタ１、同軸線２及び不織布保護具６からなる保護具付きコネクタ部品を得ることができる。
【００６３】
さらに、同軸線２の許容曲げＲ以上に設定曲げＲを設定することにより、同軸線２の曲げによる断線等の影響を確実に回避することができる（第７の効果）。
【００６４】
＜不織布保護具３〜不織布保護具６の製造方法＞
実施の形態１〜実施の形態４における不織布保護具３〜６は、それぞれの形状が実現可能な金型を用いて不織布をホットプレスすることにより、コネクタ保護領域Ｒ１１（〜Ｒ１４）と同軸線保護領域Ｒ２１（〜Ｒ２４）とを一体化して形成することができる。なお、ホットプレスとは、加工対象物である不織布を金型間に挟み込み、加熱状態で金型に圧を加えて不織布を成型加工することをいう。
【００６５】
なお、実施の形態３の不織布保護具５の形成時においては、さらに、不織布の裏側全面に接着材７（図３の太い点線内）を塗布した後にホットプレスすることにより実現される。
【００６６】
また、実施の形態３では、不織布保護具５の裏面全面に接着材７を塗布することなく、コネクタ部分、不織布保護具５で覆う同軸線２の端部部分（図３では左側端部部分）等、不織布保護具５の裏面に選択的に塗布しても良い。
【００６７】
＜その他＞
なお、実施の形態１、実施の形態２及び実施の形態４において、同軸線保護領域Ｒ２１（Ｒ２３，Ｒ２４）を同軸線２の一部領域に設定した例を示したが、同軸線２の全領域を同軸線保護領域Ｒ２１（Ｒ２３，Ｒ２４）に設定しても良い。
【００６８】
また、実施の形態４のコネクタ保護領域Ｒ１４及び同軸線保護領域Ｒ２４を、設定曲げＲを満足させながら実施の形態２のコネクタ保護領域Ｒ１２及び同軸線保護領域Ｒ２２のように必要最小限の領域に設定しても良く、実施の形態３のように不織布保護具６の裏面に接着材を塗布するようにしても良い。
【符号の説明】
【００６９】
１  高周波コネクタ
２  同軸線
３〜６  不織布保護具
３ａ〜６ａ  コネクタ保護部
３ｂ〜６ｂ  同軸線保護部
Ｒ１０  コネクタ近傍領域
Ｒ１１〜Ｒ１４  コネクタ保護領域
Ｒ２１〜Ｒ２４  同軸線保護領域
【図１】
2012094421.tif 000003
【図２】
2012094421.tif 000004
【図３】
2012094421.tif 000005
【図４】
2012094421.tif 000006
【図５】
2012094421.tif 000007
【図６】
2012094421.tif 000008